(57)【特許請求の範囲】
【請求項１】
空気調和機の運転状態に関する表示をする表示部と、
前記空気調和機の運転状態を操作する操作部と、
前記空気調和機の運転モードに応じた設定温度に関する情報を格納する記憶部と、
前記空気調和機の運転状態に関する指令を前記空気調和機に送信する送信部と、
前記操作部の操作に基づいて、前記設定温度に関する情報を変更して前記表示部と前記送信部を制御する制御部と、
を備え、
前記操作部は、
前記設定温度を上げる操作信号を発生する設定温度増加釦と、
前記設定温度を下げる操作信号を発生する設定温度減少釦と、
を備え、
前記記憶部は、
前記運転モードのうちの１つであって、前記空気調和機が上限値と下限値との２つの設定温度の範囲で空調運転を行うセットバック制御における前記上限値、前記下限値、又は前記上限値と前記下限値の両方のいずれかを設定対象とする情報が設定され、
前記制御部は、
前記記憶部に設定された前記設定対象で指定された設定温度を前記表示部に表示させ、前記設定温度増加釦及び前記設定温度減少釦のいずれか一方又は両方の操作結果に基づいて、前記設定対象で指定された設定温度を変更し、
変更結果を前記送信部に送信させ、
前記セットバック制御中、前記設定対象を変更する操作があった場合、前記上限値、前記下限値、及び前記上限値と前記下限値の両方の３つについて設定された順に従って前記設定対象を変更するものである
ことを特徴とする空調用リモートコントローラ。
【請求項２】
前記制御部は、
前記設定温度増加釦又は前記設定温度減少釦の操作に応じて、前記設定対象として指定された前記上限値、前記下限値、又は前記上限値と前記下限値の両方のいずれかを変更するものである
ことを特徴とする請求項１に記載の空調用リモートコントローラ。
【請求項３】
前記制御部は、
前記セットバック制御開始時、前記上限値と前記下限値を前記表示部に表示させ、
前記セットバック制御時、前記上限値、前記下限値、又は前記上限値と前記下限値の両方のいずれかを前記設定対象に応じて、前記表示部に点滅表示をさせ、
前記セットバック制御中、前記設定対象を変更する操作に応じて、前記設定対象を変更するものである
ことを特徴とする請求項１又は２に記載の空調用リモートコントローラ。
【請求項４】
前記制御部は、
前記セットバック制御中、前記操作部から信号を一定時間受け付けないとき、前記設定対象の変更をする処理を終了するものである
ことを特徴とする請求項１〜３の何れか一項に記載の空調用リモートコントローラ。
【請求項５】
請求項１〜４の何れか一項に記載の空調用リモートコントローラと、
前記空調用リモートコントローラからの制御指令により制御される空気調和機と
を備えた
ことを特徴とする空気調和システム。
【発明の詳細な説明】
【技術分野】
【０００１】
本発明は、空調用リモートコントローラ及び空気調和システムに関する。
【背景技術】
【０００２】
従来の空調用リモートコントローラは、運転／停止釦、運転モード釦、設定温度増加釦、設定温度減少釦、及び風速釦等の各種釦や、運転モード、設定温度、及び風速等の空気調和機の運転状態を表す表示部等を備えている。
また、このような各種釦が押下されることで、空気調和機の運転状態の設定が変更される。例えば、空気調和機が稼働中、表示部には現在設定されている設定温度が表示されている。このとき、設定温度増加釦が１回押下されるごとに設定温度は＋１℃上がった値が設定され、設定温度減少釦が１回押下されるごとに設定温度は−１℃下がった値が設定される。このように、表示部に表示される表示内容に応じて、各種釦が割り当てられている（例えば、特許文献１参照）。
【０００３】
また、上限値と下限値との２つの値を設定温度として必要なセットバック制御というものがあり、このような２つの設定温度を空調用リモートコントローラのような入力装置等を設けた集中コントローラで設定可能な空気調和機というものがある（例えば、特許文献２参照）。
【先行技術文献】
【特許文献】
【０００４】
【特許文献１】特開２００９−２２９００９号公報（段落［００１９］〜［００２３］、図１）
【特許文献２】ＷＯ２０１１−１０１８９２号公報（段落［００２１］〜［００２３］）
【発明の概要】
【発明が解決しようとする課題】
【０００５】
上記のようなセットバック制御用の２つの設定温度を設定する場合、高機能なユーザインタフェースを搭載した空調用リモートコントローラを必要とする。そのようなものとして、例えば、グラフィカルユーザインタフェース（ＧＵＩ：Ｇｒａｐｈｉｃａｌ  Ｕｓｅｒ  Ｉｎｔｅｒｆａｃｅ）を搭載し、タッチパネルでソフトボタン操作がなされる高機能な空調用リモートコントローラがある。また、高機能なユーザインタフェースとして、例えば、操作釦を多数搭載し、２つの設定温度のそれぞれに対応する釦、例えば、上限値設定用設定温度増加釦、上限値設定用設定温度減少釦、下限値設定用設定温度増加釦、及び下限値設定用設定温度減少釦を備えている高機能な空調用リモートコントローラがある。この場合、操作釦と表示内容とが対応しているため、ユーザにとってはどの操作釦を操作すればどの設定温度が設定可能であるかが容易に判断できる。そのため、グラフィカルユーザインタフェースや多数の操作釦を搭載したような高機能なユーザインタフェースを搭載した空調用リモートコントローラは、ユーザに直感的に理解可能なインタフェースを提供することができる。
【０００６】
しかしながら、高機能なユーザインタフェースを搭載したリモートコントローラというものは高コストであり、製品サイズが大型化する傾向がある。そのため、ある程度の機能を削除することでコストを抑えた低機能なリモートコントローラというものがある。また、製品サイズの小型化のために表示部を狭くしたり操作釦の数を削減したリモートコントローラというものがある。このような場合、セットバック制御用の２つの設定温度のそれぞれに対応した操作釦を用意することは難しく、限られた操作釦と表示部とでインタフェースを提供しなければならない。そのため、低コストで製品サイズが小型化されたリモートコントローラでは、ユーザに直感的に理解可能なインタフェースを提供することができないという問題点があった。
【０００７】
本発明は、上記のような問題点を解決するためになされたもので、低コストで製品サイズが小型化されていたとしても、ユーザに直感的に理解可能なインタフェースを提供することができる空調用リモートコントローラ及び空気調和システムを提供することを目的とするものである。
【課題を解決するための手段】
【０００８】
本発明の空調用リモートコントローラは、空気調和機の運転状態に関する表示をする表示部と、前記空気調和機の運転状態を操作する操作部と、前記空気調和機の運転モードに応じた設定温度に関する情報を格納する記憶部と、前記空気調和機の運転状態に関する指令を前記空気調和機に送信する送信部と、前記操作部の操作に基づいて、前記設定温度に関する情報を変更して前記表示部と前記送信部を制御する制御部と、を備え、前記操作部は、前記設定温度を上げる操作信号を発生する設定温度増加釦と、前記設定温度を下げる操作信号を発生する設定温度減少釦と、を備え、前記記憶部は、前記運転モードのうちの１つであって、前記空気調和機が上限値と下限値との２つの設定温度の範囲で空調運転を行うセットバック制御における前記上限値、前記下限値、又は前記上限値と前記下限値の両方のいずれかを設定対象とする情報が設定され、前記制御部は、前記記憶部に設定された前記設定対象で指定された設定温度を前記表示部に表示させ、前記設定温度増加釦及び前記設定温度減少釦のいずれか一方又は両方の操作結果に基づいて、前記設定対象で指定された設定温度を変更し、変更結果を前記送信部に送信させ、前記セットバック制御中、前記設定対象を変更する操作があった場合、前記上限値、前記下限値、及び前記上限値と前記下限値の両方の３つについて設定された順に従って前記設定対象を変更するものである。
【発明の効果】
【０００９】
本発明は、予め決めた設定対象に基づいて複数の設定温度を設定することにより、低コストで製品サイズが小型化されていたとしても、ユーザに直感的に理解可能なインタフェースを提供することができるという効果を有する。
【図面の簡単な説明】
【００１０】
【図１】本発明の実施の形態１におけるリモートコントローラ１１を用いたシステム構成を示す図である。
【図２】本発明の実施の形態１におけるリモートコントローラ１１の外観の構成例を示す図である。
【図３】本発明の実施の形態１におけるリモートコントローラ１１の内部の構成例を示すブロック図である。
【図４】本発明の実施の形態１におけるメモリ４１に格納される情報の一例を示す図である。
【図５】本発明の実施の形態１におけるプロセッサ５１の制御例を説明するフローチャートである。
【発明を実施するための形態】
【００１１】
以下、本発明の実施の形態について、図面を用いて詳細に説明する。
【００１２】
実施の形態１．
図１は、本発明の実施の形態１におけるリモートコントローラ１１を用いたシステム構成を示す図である。図１に示すように、リモートコントローラ１１は、伝送線１４を介して室内機１２と接続され、室内機１２と通信する。室内機１２と室外機１３とは図示しない冷媒配管や信号線を介して接続されている。室内機１２及び室外機１３は、リモートコントローラ１１からの制御命令に基づいて、冷媒配管を流れる冷媒の圧力を変化させて冷媒の吸熱や放熱により空気調和を行う。
なお、リモートコントローラ１１の外観の構成例、内部の構成例、処理の詳細については後述する。
また、室内機１２及び室外機１３を総称して空気調和機と称することとする。
【００１３】
室内機１２は、図示しない室内機側熱交換器、室内機側ファン、室内機側膨張弁、室内温度センサ等を備える。
室内機１２は、リモートコントローラ１１等からの信号等に基づいて、室内機１２を構成する各手段の動作を制御する。
室内機側熱交換器は、熱交換器内を通過する冷媒と空気との熱交換を行う。
室内機側ファンは、熱交換器に空気を送り熱交換させ、さらに熱交換された空気を室内に送り込む。
室内機側膨張弁は、弁の開度を調整し、冷媒の流量を制御する。これにより、室内機側熱交換器を通過する冷媒量を制御し、室内機側熱交換器における冷媒の蒸発等を調整する。
室内温度センサは、室内機１２が設置された室内温度を検出する。
【００１４】
室外機１３は、図示しない圧縮機、室外機側熱交換器、室外機側ファン、室外機側膨張弁、四方切換弁等を備える。
室外機１３は、リモートコントローラ１１等からの信号等に基づいて、室外機１３を構成する各手段の動作を制御する。
圧縮機は、吸入した冷媒を圧縮し、任意の圧力を加えて吐出する。
室外機側熱交換器は、熱交換器を通過する冷媒と空気との熱交換を行う。
室外機側ファンは、熱交換器に熱交換のための空気を送る。
室外機側膨張弁は、弁の開度を調整し、冷媒の流量を制御する。
四方切換弁は、例えば、冷房運転、暖房運転に応じて、配管経路の切り替えを行う。
【００１５】
図２は、本発明の実施の形態１におけるリモートコントローラ１１の外観の構成例を示す図である。図２に示すように、リモートコントローラ１１は、合成樹脂等により略四角形状の筐体に成型してあり、表示部２１及び操作部３１を備える。
なお、リモートコントローラ１１の奥行きについての図示は省略する。
【００１６】
表示部２１は、例えば、液晶表示装置等で構成され、空気調和機の設定内容や状態を表す設定温度や運転モード等が表示される。
具体的には、表示部２１は、領域２１ａ〜２１ｆを備えている。領域２１ａには、上限設定温度が表示される。領域２１ｂには、下限設定温度が表示される。領域２１ｃには、自動モード運転中である旨が、例えば、「自動」という文字で表示される。領域２１ｄには、冷房モード運転中である旨が、例えば、「冷房」という文字で表示される。領域２１ｅには、暖房モード運転中である旨が、例えば、「暖房」という文字で表示される。領域２１ｆには、セットバック制御中である旨が、例えば、「セットバック」という文字で表示される。
【００１７】
なお、図２においては、領域２１ａ〜２１ｆにそれぞれの表示内容が表示されているが、実際には、この中の一部、例えば、上限設定温度、下限設定温度、及び「セットバック」が表示されるものである。また、領域２１ａ〜２１ｆに表示されるものは、後述するように適宜条件に応じて点滅表示されるものである。
また、領域２１ａ〜２１ｆに表示される文字の書体や大きさは一例を示すものであり、これに限定するものではない。
また、表示部２１の中での領域２１ａ〜２１ｆの配置は一例を示すものであり、これに限定するものではない。
また、表示部２１は液晶表示装置等で構成されるだけでなく、他の表示装置で構成されていてもよい。
【００１８】
操作部３１は、例えば、各種操作釦等で構成され、空気調和機の運転を開始したり停止したり、空気調和機の運転モードを変更したり、設定温度を変更したりする命令を受け付けるインタフェースである。
具体的には、操作部３１は、運転／停止釦３１ａ、運転モード釦３１ｂ、設定温度増加釦３１ｃ、及び設定温度減少釦３１ｄを備えている。
運転／停止釦３１ａは、空気調和機の運転開始命令と停止命令とを受け付けるインタフェースであり、空気調和機が停止中に運転／停止釦３１ａが押下されると、空気調和機は運転を開始して表示部２１に現在の運転モードと設定温度を表示させる。空気調和機が運転中に運転／停止釦３１ａが押下されると、空気調和機は運転を停止する。
【００１９】
運転モード釦３１ｂは、空気調和機の運転モードの変更を受け付けるインタフェースであり、１回押下されるごとに別の運転モードが設定されるものである。例えば、自動モード運転、冷房モード運転、暖房モード運転、及びセットバック制御の順番に設定が変更されるようになっている場合、現在冷房モード運転であるときに運転モード釦３１ｂが１回押下されると、運転モードは暖房モード運転に設定される。
また、運転モード釦３１ｂで自動モード運転が設定されたときには、表示部２１の領域２１ｃに「自動」という文字が点灯し、領域２１ｂに設定温度が一つ表示され、空気調和機が稼働中のときに自動モード運転が実行される。
また、運転モード釦３１ｂで冷房モード運転が設定されたときには、表示部２１の領域２１ｄに「冷房」という文字が点灯し、領域２１ｂに設定温度が一つ表示され、空気調和機が稼働中のときに冷房モード運転が実行される。
また、上記で説明した表示内容は、領域２１ａに表示させてもよい。
また、運転モード釦３１ｂで暖房モード運転が設定されたときには、表示部２１の領域２１ｅに「暖房」という文字が点灯し、領域２１ｂに設定温度が一つ表示され、空気調和機が稼働中のときに暖房モード運転が実行される。
また、運転モード釦３１ｂでセットバック制御が設定されたときには、表示部２１の領域２１ｆに「セットバック」という文字が点灯し、領域２１ａに上限設定温度が表示され、領域２１ｂに下限設定温度が表示され、空気調和機が稼働中のときにセットバック制御が実行される。
なお、セットバック制御とは、上限設定温度と下限設定温度との範囲内で空気調和機の運転が行われるものである。
また、後述するように、運転モード釦３１ｂには、他の制御内容の変更処理命令（後述する設定対象変更処理）も受け付けさせるようにする。
【００２０】
設定温度増加釦３１ｃは、表示部２１に表示されている設定温度を上げる変更を受け付けるインタフェースであり、１回押下されるごとに設定温度を所定の範囲、例えば、＋１℃ずつ上げる処理が空気調和機の稼働中に実行される。
設定温度減少釦３１ｄは、表示部２１に表示されている設定温度を下げる変更を受け付けるインタフェースであり、１回押下されるごとに設定温度を所定の範囲、例えば、−１℃ずつ下げる処理が空気調和機の稼働中に実行される。
なお、設定温度増加釦３１ｃ及び設定温度減少釦３１ｄが押下されたときの処理の詳細については後述する。
なお、図２においては、各種操作釦は略四角形状で図示されているがこれに限定するものではない。
【００２１】
図３は、本発明の実施の形態１におけるリモートコントローラ１１の内部の構成例を示すブロック図である。図３に示すように、リモートコントローラ１１は、表示部２１、操作部３１、メモリ４１、プロセッサ５１、及び送信部６１等を備える。
【００２２】
表示部２１は、後述するメモリ４１に格納されているデータを表示したり、後述するプロセッサ５１の処理結果を表示するものである。
操作部３１は、各種操作釦が押下されると各操作釦に対応したコードが生成され、生成されたコードがリモートコントローラ１１の内部制御を行うプロセッサ５１に入力される。
メモリ４１は、例えば、書換え可能なＲＡＭ（Ｒａｎｄｏｍ  Ａｃｃｅｓｓ  Ｍｅｍｏｒｙ）を用いて、一時的にデータを保存する。また、メモリ４１は、例えば、読出しのみ可能なＲＯＭ（Ｒｅａｄ  Ｏｎｌｙ  Ｍｅｍｏｒｙ）を用いて、処理プログラム、パラメータ、各種操作釦に対応するコード等が記憶してある。すなわち、メモリ４１は、ＲＡＭやＲＯＭ等から構成されている。
プロセッサ５１は、メモリ４１から処理プログラム等を読出し、一定のクロックを供給する図示しない発信器の周波数に基づいて実行する。また、プロセッサ５１は、ユーザにより操作部３１が操作されたとき、その操作に対応して、空気調和機を制御するコードを送信部６１に供給したり、操作部３１の操作結果を表示部２１に供給したりする。
送信部６１は、供給されるコードを送信用に変調処理して、その変調された送信信号を室内機１２に送信する。
なお、メモリ４１は、本発明における記憶部に相当する。
また、プロセッサ５１は、本発明における制御部に相当する。
【００２３】
なお、図１に示すように、ここではリモートコントローラ１１と室内機１２とが伝送線１４を介して接続されるワイヤード接続の例について説明したがこれに限定するものではない。例えば、無線等で空気調和機を操作するワイヤレスリモートコントローラであってもよい。
また、赤外線信号で空気調和機を操作するワイヤレスリモートコントローラであってもよい。この場合、送信部６１の信号は図示しない発光部内のＬＥＤに供給され、ＬＥＤから室内機１２に所定の信号が送信されればよい。
また、リモートコントローラ１１の処理が図示しないコンピュータに搭載されるアプリケーションで実行されてもよい。この場合、コンピュータと室内機１２とが通信媒体を介して接続されており、コンピュータと室内機１２とが通信可能であればよい。
【００２４】
図４は、本発明の実施の形態１におけるメモリ４１に格納される情報の一例を示す図である。図４に示すように、現在の運転モードとして、自動モード運転を意味する「自動」、冷房モード運転を意味する「冷房」、暖房モード運転を意味する「暖房」、セットバック制御を意味する「セットバック」の合計４種類の運転モードが定義されている。リモートコントローラ１１は、運転モード釦３１ｂの押下に応じて、これら４種類の中から該当する運転モードの項目に、例えば、フラグ１を立てることで現在の運転モードを識別する。
また、「自動」、「冷房」、及び「暖房」の項目のときは、設定温度は１つであるので、それぞれに対応する設定温度が１つ紐付けされる。
また、「セットバック」の項目のときは、設定温度は２つであるので、上限値と下限値とに対応する温度がそれぞれ紐付けされる。
また、「セットバック」の項目のときは、設定温度は２つあり、設定対象は複数存在する。ここでは、リモートコントローラ１１は、設定対象が上限値と下限値との両方同時を意味する二値であるか、上限値のみであるか、下限値のみであるかを、例えば、フラグ１を立てることで識別する。
そして、このような情報は、データとしてメモリ４１のＲＡＭに格納される。
なお、図４においては、現在の運転モードがセットバック制御であり、「自動」のときの設定温度が１９℃、「冷房」のときの設定温度が１８℃、「暖房」のときの設定温度が２８℃、「セットバック」のときの上限値が２５℃、下限値が２０℃、設定対象が二値のときの一例について示されている。
【００２５】
図５は、本発明の実施の形態１におけるプロセッサ５１の制御例を説明するフローチャートである。
【００２６】
（ステップＳ２０１）
プロセッサ５１は、通常運転中に設定温度増加釦又は設定温度減少釦（以下、設定温度増加釦又は設定温度減少釦という意味を設定温度＋／−釦と称することとする）が操作されたか否か判定する。具体的には、プロセッサ５１は、通常運転中に設定温度＋／−釦が操作された場合、ステップＳ２０２へ進む。一方、プロセッサ５１は、通常運転中に設定温度＋／−釦が操作されない場合、ステップＳ２０１へ戻る。
【００２７】
（ステップＳ２０２）
プロセッサ５１は、現在の運転モードが設定温度二値を持つモードであるか否かを判定する。具体的には、プロセッサ５１は、図４に示す現在の運転モードの判定フラグが「セットバック」の項目に立っている場合、設定温度二値を持つモードであると判定して、ステップＳ２０４へ進む。一方、プロセッサ５１は、図４に示す現在の運転モードの判定フラグが「自動」、「冷房」、又は「暖房」の項目に立っている場合、設定温度二値を持つモードでないと判定して、ステップＳ２０３へ進む。
【００２８】
（ステップＳ２０３）
プロセッサ５１は、表示中の設定温度（一値）を設定温度＋／−釦の入力に基づいて±１し、処理は終了する。
ここで、ステップＳ２０３の処理は、自動モード運転、冷房モード運転、又は暖房モード運転のいずれかの運転中に行われるものであり、以降で説明するステップＳ２０４〜ステップＳ２１７の処理は、セットバック制御中に行われるものである。
【００２９】
（ステップＳ２０４）
プロセッサ５１は、設定対象を二値に設定し、設定温度（上限値・下限値）の表示を点滅させ、ステップＳ２０５へ進む。このとき、図４に示す設定対象の「二値」の項目にフラグ１が設定され、図４に示す設定温度の上限値と下限値との値がメモリ４１から読み込まれ、読み込まれた二値が表示部２１の領域２１ａと領域２１ｂとにそれぞれ点滅表示されることになる。
【００３０】
次に、以降のステップＳ２０５〜ステップＳ２１０で説明する処理は、設定温度変更処理のことである。
【００３１】
（ステップＳ２０５）
プロセッサ５１は、設定温度＋／−釦が操作されたか否かを判定する。具体的には、プロセッサ５１は、設定温度＋／−釦が操作された場合、ステップＳ２０６へ進む。一方、プロセッサ５１は、設定温度＋／−釦が操作されない場合、ステップＳ２１１へ進む。
【００３２】
（ステップＳ２０６）
プロセッサ５１は、設定対象が二値であるか否かを判定する。具体的には、プロセッサ５１は、図４に示す設定対象のフラグが「二値」の項目に立っている場合、ステップＳ２０７へ進む。一方、プロセッサ５１は、図４に示す設定対象のフラグが「二値」の項目に立っていない場合、ステップＳ２０８へ進む。
【００３３】
（ステップＳ２０７）
プロセッサ５１は、表示中の設定温度（上限値・下限値）の両方を設定温度＋／−釦の入力に基づいて±１し、ステップＳ２１１へ進む。例えば、上限値が２５℃、下限値が２０℃のときに設定温度増加釦３１ｃが１回押下されると、上限値は２６℃、下限値は２１℃に設定される。また、例えば、上限値が２５℃、下限値が２０℃のときに設定温度減少釦３１ｄが１回押下されると、上限値は２４℃、下限値は１９℃に設定される。すなわち、上限値及び下限値の両方が同時に変更される。
【００３４】
（ステップＳ２０８）
プロセッサ５１は、設定対象が上限値であるか否かを判定する。具体的には、プロセッサ５１は、図４に示す設定対象のフラグが「上限値」の項目に立っている場合、ステップＳ２０９へ進む。一方、プロセッサ５１は、図４に示す設定対象のフラグが「上限値」の項目に立っていない場合、ステップＳ２１０へ進む。
【００３５】
（ステップＳ２０９）
プロセッサ５１は、表示中の設定温度（上限値）を設定温度＋／−釦の入力に基づいて±１し、ステップＳ２１１へ進む。例えば、上限値が２５℃、下限値が２０℃のときに設定温度増加釦３１ｃが１回押下されると、上限値が２６℃、下限値が２０℃に設定される。また、例えば、上限値が２５℃、下限値が２０℃のときに設定温度減少釦３１ｄが１回押下されると、上限値が２４℃、下限値が２０℃に設定される。すなわち、上限値のみが変更される。
【００３６】
（ステップＳ２１０）
プロセッサ５１は、表示中の設定温度（下限値）を設定温度＋／−釦の入力に基づいて±１し、ステップＳ２１１へ進む。例えば、上限値が２５℃、下限値が２０℃のときに設定温度増加釦３１ｃが１回押下されると、上限値が２５℃、下限値が２１℃に設定される。また、例えば、上限値が２５℃、下限値が２０℃のときに設定温度減少釦３１ｄが１回押下されると、上限値が２５℃、下限値が１９℃に設定される。すなわち、下限値のみが変更される。
【００３７】
次に、以降で説明するステップＳ２１１〜ステップＳ２１５の処理は、現在の設定対象変更処理のことである。
【００３８】
（ステップＳ２１１）
プロセッサ５１は、設定対象の切り替え操作があったか否かを判定する。具体的には、プロセッサ５１は、運転モード釦３１ｂが押下されて設定対象の切り替え操作があった場合、ステップＳ２１２へ進む。一方、プロセッサ５１は、運転モード釦３１ｂが押下されずに設定対象の切り替え操作がない場合、ステップＳ２１６へ進む。すなわち、ここでは、通常運転中であれば、自動モード運転、冷房モード運転、暖房モード運転、及びセットバック制御を切り替える釦である運転モード釦３１ｂをセットバック制御中に利用することで、プロセッサ５１は設定対象の切り替え操作を実行する。つまり、セットバック制御中の場合、運転モード釦３１ｂに設定対象の切り替え操作を割り当てるのである。
【００３９】
（ステップＳ２１２）
プロセッサ５１は、現在の設定対象が二値であるか否かを判定する。具体的には、プロセッサ５１は、図４に示す設定対象のフラグが「二値」の項目に立っている場合、ステップＳ２１３へ進む。一方、プロセッサ５１は、図４に示す設定対象のフラグが「二値」の項目に立っていない場合、ステップＳ２１４へ進む。
【００４０】
（ステップＳ２１３）
プロセッサ５１は、設定対象を上限値に設定し、設定温度（上限値）の表示を点滅させ、ステップＳ２１６へ進む。このとき、図４に示す設定対象の「二値」の項目のフラグ１は消去され、代わりに「上限値」の項目にフラグ１が設定され、図４に示す設定温度の上限値と下限値との値がメモリ４１から読み込まれ、読み込まれた二値のうち、上限値は表示部２１の領域２１ａに点滅表示され、下限値は表示部２１の領域２１ｂに点灯表示されることになる。
【００４１】
（ステップＳ２１４）
プロセッサ５１は、現在の設定対象が上限値であるか否かを判定する。具体的には、プロセッサ５１は、図４に示す設定対象のフラグが「上限値」の項目に立っている場合、ステップＳ２１５へ進む。一方、プロセッサ５１は、図４に示す設定対象のフラグが「上限値」の項目に立っていない場合、ステップＳ２１７へ進む。
なお、設定対象のフラグが「下限値」の項目に立っている場合、「下限値」の項目のフラグ１は消去され、代わりに「二値」の項目にフラグ１が設定されてもよい。
【００４２】
（ステップＳ２１５）
プロセッサ５１は、設定対象を下限値に設定し、設定温度（下限値）の表示を点滅させ、ステップＳ２１６へ進む。このとき、図４に示す設定対象の「上限値」の項目のフラグ１は消去され、代わりに「下限値」の項目にフラグ１が設定され、図４に示す設定温度の上限値と下限値との値がメモリ４１から読み込まれ、読み込まれた二値のうち、上限値は表示部２１の領域２１ａに点灯表示され、下限値は表示部２１の領域２１ｂに点滅表示されることになる。
【００４３】
（ステップＳ２１６）
プロセッサ５１は、無操作経過時間が一定時間を超えたか否かを判定する。具体的には、プロセッサ５１は、無操作経過時間が一定時間を超えた場合、ステップＳ２１７へ進む。一方、プロセッサ５１は、無操作経過時間が一定時間を超えない場合、ステップＳ２０５へ戻る。
なお、ここでいう一定時間とは任意間隔の時間である。例えば、１０秒間が一定時間とすると、ステップＳ２０４で設定温度の点滅表示が開始されてから１０秒間何も各種操作釦が押下されないときにステップＳ２１７へ進むようにする処理となる。
【００４４】
（ステップＳ２１７）
プロセッサ５１は、設定温度変更（点滅表示）を終了し、通常運転に戻る。
【００４５】
なお、ステップＳ２１７の処理が終了したら、プロセッサ５１の処理結果が送信部６１に送信され、送信部６１から室内機１２へ上記の処理結果が送信される。これにより、空気調和機はその処理結果を反映する。
【００４６】
また、ここでは、＋１℃ずつ、又は、−１℃ずつ設定温度を変更する一例について説明したが、これに限定するものではない。例えば、＋２℃ずつ、又は、−２℃ずつのようにより大きい間隔であってもよい。また、例えば、＋０．１℃ずつ、又は、−０．１℃ずつのようにより小さい間隔であってもよい。このようにすることで、より周囲環境に応じた設定温度の設定をすることができる。
また、上記では、設定可能な温度を点滅表示させる一例について説明したが、これに限定するものではない。例えば、文字を反転表示させたり、文字を白抜き表示させたり、文字の書体や大きさを変えることで設定可能な温度を示してもよい。要するに、設定可能な温度とそうでないものとをユーザに知らせることができればよい。
【００４７】
以上のステップＳ２０１〜ステップＳ２１７の処理により、限られた釦数や表示内容しかないリモートコントローラ１１であったとしても、２つの設定温度をリモートコントローラ１１に表示させる運転モードで運転中には、ユーザに釦の多重押し等の複雑な操作を行わせることなく、設定温度増加釦３１ｃや設定温度減少釦３１ｄでセットバック制御用の２つの設定温度の変更が可能であり、自動的に設定温度変更処理や現在の設定対象変更処理といった設定モードを終了させることができる。このため、操作方法を熟知しないユーザであったとしても直感的に違和感なく設定温度増加釦３１ｃと設定温度減少釦３１ｄだけで２つの設定温度を上げたり下げたりするような変更が可能である。また、設定対象を変更する処理も実行可能であるため、管理者や操作方法を熟知したユーザに対しては、２つの設定温度をそれぞれ変更することができる操作性を実現することができる。
【００４８】
換言すれば、本実施の形態１においては、低コストで製品サイズが小型化されていたとしても、ユーザに直感的に理解可能なインタフェースを提供することができる。
【００４９】
以上のように、本実施の形態１においては、空気調和機の運転状態に関する表示をする表示部２１と、空気調和機の運転状態を操作する操作部３１と、空気調和機の運転モードに応じた設定温度に関する情報を格納するメモリ４１と、空気調和機の運転状態に関する指令を空気調和機に送信する送信部６１と、操作部３１の操作に基づいて、設定温度に関する情報を変更して表示部２１と送信部６１を制御するプロセッサ５１と、を備え、操作部３１は、設定温度を上げる操作信号を発生する設定温度増加釦３１ｃと、設定温度を下げる操作信号を発生する設定温度減少釦３１ｄと、を備え、メモリ４１は、運転モードのうちの１つであって、空気調和機が上限値と下限値との２つの設定温度の範囲で空調運転を行うセットバック制御における上限値、下限値、又は上限値と下限値の両方のいずれかを設定対象とする情報が設定され、プロセッサ５１は、メモリ４１に設定された設定対象で指定された設定温度を表示部２１に表示させ、設定温度増加釦３１ｃ及び設定温度減少釦３１ｄのいずれか一方又は両方の操作結果に基づいて、設定対象で指定された設定温度を変更し、変更結果を送信部６１に送信させることにより、低コストで製品サイズが小型化されていたとしても、ユーザに直感的に理解可能なインタフェースを提供することができる。
【符号の説明】
【００５０】
１１  リモートコントローラ、１２  室内機、１３  室外機、１４  伝送線、２１  表示部、２１ａ、２１ｂ、２１ｃ、２１ｄ、２１ｅ、２１ｆ  領域、３１  操作部、３１ａ  運転／停止釦、３１ｂ  運転モード釦、３１ｃ  設定温度増加釦、３１ｄ  設定温度減少釦、４１  メモリ、５１  プロセッサ、６１  送信部。
【図１】
0005881466.tif 000002
【図２】
0005881466.tif 000003
【図３】
0005881466.tif 000004
【図４】
0005881466.tif 000005
【図５】
0005881466.tif 000006